(57)【要約】【課題】負電荷を帯びる帯電粒子をより確実に被清掃面に届けられる吸込具４および電気掃除機１を提供する。【解決手段】吸込具４は、ケース２９と、接続管１１と、放電デバイス３１と、負電荷供給部３０と、を備える。ケース２９は、吸込具４の外郭をなす。ケース２９は、吸込室２６を内部に有する。ケース２９は、吸込室２６に通じる吸込口１０を下面に有する。接続管１１と、吸込口１０より後方に設けられる。接続管１１は、内部の空間がケース２９の内部に通じる。放電デバイス３１は、負電荷を帯びる帯電粒子を発生させる。負電荷供給部３０は、吸込室２６の前端に供給口３０ａを有する。供給口３０ａは、吸込口１０に向けて開く。負電荷供給部３０は、帯電粒子を供給口３０ａから吸込室２６に供給する。【選択図】図１０
2019166258.tif 000002
【特許請求の範囲】
【請求項１】
外郭をなし、吸込室を内部に有し、前記吸込室に通じる吸込口を下面に有するケースと、
前記吸込口より後方に設けられ、内部の空間が前記ケースの内部に通じる接続管と、
負電荷を帯びる帯電粒子を発生させる放電デバイスと、
前記吸込室の前端に前記吸込口に向けて開く供給口を有し、前記帯電粒子を前記供給口から前記吸込室に供給する負電荷供給部と、
を備える吸込具。
【請求項２】
前記負電荷供給部は、前記ケースの上面に設けられる請求項１に記載の吸込具。
【請求項３】
前記ケースは、法線方向が上方を向く平坦面と、前記平坦面から前方かつ下方に延びる傾斜面と、を上面に有し、
前記負電荷供給部は、前記傾斜面に設けられ、前記平坦面を含む平面から上方に突出しない請求項１に記載の吸込具。
【請求項４】
前記負電荷供給部は、外部の空間と前記供給口とを繋ぐ風路を有し、前記風路に前記放電デバイスを収納する請求項１から請求項３のいずれか一項に記載の吸込具。
【請求項５】
前記吸込室の内部に回転可能に設けられ、前記吸込口から一部が突出する回転ブラシ
を備える請求項１から請求項４のいずれか一項に記載の吸込具。
【請求項６】
前記回転ブラシは、前記供給口の下方に設けられる請求項５に記載の吸込具。
【請求項７】
前記回転ブラシを回転駆動する駆動モーター
を備える請求項５または請求項６に記載の吸込具。
【請求項８】
前記ケースまたは前記接続管の内部の塵埃の量を検知する検知部と、
前記検知部が検知する塵埃の量に応じて、前記放電デバイスに印加する電圧を可変する放電デバイス制御部と、
を備える請求項１から請求項７のいずれか一項に記載の吸込具。
【請求項９】
使用者によって切り替えられる運転モードに基づいて前記放電デバイスに印加する電圧を制御する放電デバイス制御部
を備える請求項１から請求項７のいずれか一項に記載の吸込具。
【請求項１０】
外部から塵埃を吸引する気流を発生させる電動送風機と、
前記塵埃を捕集する集塵部と、
前記気流を吸込口から吸引する請求項１から請求項９のいずれか一項に記載の吸込具と、
を備える電気掃除機。
【発明の詳細な説明】
【技術分野】
【０００１】
本発明は、吸込具および電気掃除機に関する。
【背景技術】
【０００２】
特許文献１に電気掃除機の例が記載されている。電気掃除機は、電動送風機と、吸込具と、を備える。電動送風機は、気流を発生させる。吸込具は、イオン発生部を備える。イオン発生部は、正または負の電荷を持つイオンを被清掃面に向かって発生させる。電気掃除機は、電気的に中和された被清掃面の上の塵埃を気流とともに吸込具から吸引する。
【先行技術文献】
【特許文献】
【０００３】
【特許文献１】特開平５−２５３１４８号公報
【発明の概要】
【発明が解決しようとする課題】
【０００４】
しかしながら、特許文献１の電気掃除機において、イオン発生部の配置によっては、イオンが被清掃面に供給される前に気流とともに吸引されることがある。
【０００５】
本発明は、このような課題を解決するためになされた。本発明の目的は、負電荷を帯びる帯電粒子をより確実に被清掃面に届けられる吸込具および電気掃除機を提供することである。
【課題を解決するための手段】
【０００６】
本発明に係る吸込具は、外郭をなし、吸込室を内部に有し、吸込室に通じる吸込口を下面に有するケースと、吸込口の後方に設けられ、内部の空間がケースの内部に通じる接続管と、負電荷を帯びる帯電粒子を発生させる放電デバイスと、吸込室の前端に吸込口に向けて開く供給口を有し、帯電粒子を供給口から吸込室に供給する負電荷供給部と、を備える。
【０００７】
本発明に係る電気掃除機は、外部から塵埃を吸引する気流を発生させる電動送風機と、前記塵埃を捕集する集塵部と、前記気流を吸込口から吸引する上記の吸込具と、を備える。
【発明の効果】
【０００８】
本発明によれば、吸込具は、ケースと、接続管と、放電デバイスと、負電荷供給部と、を備える。ケースは、外郭をなし、吸込室を内部に有し、前記吸込室に通じる吸込口を下面に有する。接続管は、前記吸込口の後方に設けられ、内部の空間が前記ケースの内部に通じる。放電デバイスは、負電荷を帯びる帯電粒子を発生させる。負電荷供給部は、吸込室の前端に吸込口に向けて開く供給口を有する。負電荷供給部は、帯電粒子を供給口から吸込室に供給する。これにより、吸込具は、負電荷を帯びる帯電粒子をより確実に被清掃面に届けられる。
【図面の簡単な説明】
【０００９】
【図１】実施の形態１に係る電気掃除機の斜視図である。
【図２】実施の形態１に係る電気掃除機の断面図である。
【図３】実施の形態１に係る本体の側面図である。
【図４】実施の形態１に係る本体の断面図である。
【図５】実施の形態１に係る吸込具の斜視図である。
【図６】実施の形態１に係る吸込具の底面図である。
【図７】実施の形態１に係る吸込具の断面図である。
【図８】実施の形態１に係る放電デバイスの斜視図である。
【図９】実施の形態１に係る吸込具の断面図である。
【図１０】実施の形態１に係る吸込具の断面図である。
【図１１】実施の形態１の変形例に係る放電デバイスの斜視図である。
【図１２】実施の形態１の変形例に係る放電デバイスの斜視図である。
【図１３】実施の形態２に係る吸込具の断面図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る電気掃除機の斜視図である。
【００１２】
電気掃除機１は、本体２と、延長管３と、吸込具４と、を備える。
【００１３】
本体２は、外郭ケース５と、管部６と、ハンドル７と、操作部８と、を有する。
【００１４】
外郭ケース５は、円柱状の形状である。管部６は、一方向に延びる。管部６の中心軸は、外郭ケース５の中心軸と平行に設けられる。ハンドル７は、電気掃除機１の端部に設けられる。ハンドル７は、管部６の中心軸の延長線上に設けられる。操作部８は、ハンドル７に設けられる。操作部８は、使用者の操作を受け付けうるように構成される。操作部８は、例えば複数の操作ボタンを備える。使用者の操作は、電気掃除機１を起動する操作と、電気掃除機１の運転モードを切り替える操作と、を含む。運転モードは、「強」と「弱」との２つのモードを含む。
【００１５】
延長管３は、一方向に延びる。延長管３の端部は、本体２に着脱可能に接続される。延長管３は、第１着脱ボタン９を備える。第１着脱ボタン９は、延長管３の本体２と接続される側の端部に設けられる。延長管３と本体２との接続は、第１着脱ボタン９によって解除される。
【００１６】
吸込具４は、下面に吸込口１０を有する。吸込具４は、接続管１１を備える。接続管１１は、延長管３に着脱可能に接続される。接続管１１は、延長管３の本体２が接続されない側の端部に設けられる。接続管１１は、第２着脱ボタン１２を備える。接続管１１と延長管３との接続は、第２着脱ボタン１２によって解除される。
【００１７】
続いて、図２を用いて電気掃除機１の内部の構成を説明する。
図２は、実施の形態１に係る電気掃除機の断面図である。
【００１８】
本体２は、電池部１３と、電動送風機１４と、本体制御基板１５と、集塵部１６とを備える。
【００１９】
電池部１３は、二次電池を備える。二次電池は、例えばリチウムイオン電池である。電池部１３は、二次電池に充電されている電力を供給しうるように、電動送風機１４に接続される。
【００２０】
電動送風機１４は、供給される電力によって気流を発生させうるように構成される。
【００２１】
本体制御基板１５は、電動送風機１４の動作を制御しうるように、電動送風機１４に接続される。本体制御基板１５は、操作部８が受け付ける使用者の操作を表す信号を受信しうるように、操作部８に接続される。
【００２２】
集塵部１６は、電動送風機１４が発生させる気流とともに流入する塵埃を捕集しうるように構成される。集塵部１６は、本体２に着脱可能に設けられる。集塵部１６は、塵埃分離装置１７と、集塵容器１８と、フィルター部１９と、を有する。塵埃分離装置１７は、集塵部１６の内周に沿う旋回風路を有する。塵埃分離装置１７は、中心から上方に向く内筒を有する。集塵容器１８は、塵埃分離装置１７の下方に設けられる。フィルター部１９は、塵埃分離装置１７の上方に設けられる。
【００２３】
本体２は、吸引風路２０と、排気風路２１と、を有する。吸引風路２０は、管部６の内部の空間である。吸引風路２０は、集塵部１６に通じる。排気風路２１は、電動送風機１４の下流側に通じる空間である。
【００２４】
管部６は、端部に吸引口２２を有する。吸引口２２は、吸引風路２０に通じる。管部６は、第１差込端子２３を有する。第１差込端子２３は、管部６の吸引口２２と同じ側の端部に設けられる。第１差込端子２３は、本体制御基板１５を介し、電池部１３と電気的に接続される。
【００２５】
延長管３は、本体２の吸引口２２に接続される。延長管３が本体２に接続されている場合に、延長管３の内部は、管部６の内部に通じる。延長管３は、第１電力供給ピン２４と、第２差込端子２５と、を備える。第１電力供給ピン２４は、延長管３の本体２に接続される側の端部に設けられる。延長管３が本体２に接続されている場合に、第１電力供給ピン２４は、第１差込端子２３に差し込まれる。このとき、第１電力供給ピン２４は、第１差込端子２３に電気的に接続される。第２差込端子２５は、延長管３の第１電力供給ピン２４と反対側の端部に設けられる。第２差込端子２５は、第１電力供給ピン２４と電気的に接続される。
【００２６】
吸込具４は、吸込室２６を有する。吸込室２６は、吸込具４の内部の空間である。吸込口１０は、吸込室２６に通じる。吸込室２６は、接続管１１の内部に通じる。接続管１１は、延長管３の本体２に接続されない側の端部に接続される。接続管１１が延長管３に接続されている場合に、接続管１１の内部は、延長管３の内部に通じる。
【００２７】
電気掃除機１の使用時に、使用者は、ハンドル７を持って吸込具４の下面を被清掃面に向ける。操作部８は、使用者の電気掃除機１を起動する操作を受け付ける。操作部８は、受け付けた操作を表す信号を本体制御基板１５に送信する。本体制御基板１５は、電動送風機１４を起動する。電動送風機１４は、気流を発生させる。電動送風機１４が発生させる気流によって、吸込室２６は負圧になる。気流は、被清掃面の上の塵埃とともに、吸込口１０から吸込室２６に流入する。気流は、吸込室２６から接続管１１に流入する。気流は、接続管１１から延長管３に流入する。気流は、延長管３から集塵部１６に流入する。集塵部１６に流入する気流は、塵埃分離装置１７で旋回流を形成する。旋回流に含まれる塵埃は、遠心力によって気流から分離される。分離された塵埃は、集塵容器１８に捕集される。塵埃が分離された気流は、内筒を上方に向けて通過する。気流は、フィルター部１９を通過する。気流は、電動送風機１４を通過する。気流は、排気風路２１を通って外部に送り出される。
【００２８】
続いて、図３および図４を用いて本体２の構成を説明する。
図３は、実施の形態１に係る本体の側面図である。図４は、実施の形態１に係る本体の断面図である。
【００２９】
図３に示されるように、本体２は、充電端子２７を備える。充電端子２７は、管部６の側面から突出する。
【００３０】
図４に示されるように、本体２は、集塵部着脱ボタン２８を備える。集塵部１６と本体２との接続は、集塵部着脱ボタン２８によって解除される。
【００３１】
続いて、図５から図７を用いて吸込具４の構成を説明する。
図５は、実施の形態１に係る吸込具の斜視図である。図６は、実施の形態１に係る吸込具の底面図である。図７は、実施の形態１に係る吸込具の断面図である。
【００３２】
図５において、紙面の上下方向が吸込具４の上下方向である。図５において、矢印で示す方向が吸込具４の左右方向である。図５において、矢印で示す方向が吸込具４の前後方向である。
【００３３】
吸込具４は、ケース２９と、負電荷供給部３０と、放電デバイス３１と、を備える。
【００３４】
ケース２９は、吸込具４の外郭をなす。ケース２９は、上方からみて略長方形状の形状である。ケース２９の長手方向は、左右方向を向く。ケース２９は、上ケース３２と、下ケース３３と、を備える。上ケース３２は、下ケース３３の上に設けられる。上ケース３２は、吸込具４の上面をなす。下ケース３３は、吸込具４の下面をなす。
【００３５】
負電荷供給部３０は、下方に曲がる角筒状の形状である。負電荷供給部３０は、上ケース３２の上面に設けられる。負電荷供給部３０は、吸込具４の左右方向の中央に設けられる。
【００３６】
放電デバイス３１は、負電荷供給部３０の後端に設けられる。放電デバイス３１は、供給される電力によって負電荷を帯びる帯電粒子を発生させうるように構成される。帯電粒子は、例えば負イオンである。
【００３７】
接続管１１は、エルボー３４と、嵌合部３５と、第２電力供給ピン３６と、を有する。エルボー３４は、接続管１１の一端に設けられる。エルボー３４は、上ケース３２と下ケース３３との間に支持される。接続管１１は、エルボー３４を軸として回転可能である。嵌合部３５は、接続管１１の他端に設けられる。嵌合部３５の外径は、延長管３の内径より小さい。嵌合部３５は、延長管３の第２差込端子２５の側の端部に嵌め合わされる。第２電力供給ピン３６は、接続管１１の嵌合部３５と同じ側の端部に設けられる。接続管１１が延長管３に接続されている場合に、第２電力供給ピン３６は、第２差込端子２５と電気的に接続される。
【００３８】
図６に示されるように、吸込具４は、回転ブラシ３７と、駆動モーター３８と、安全スイッチ３９と、モーター制御部４０と、放電デバイス制御部４１と、を備える。
【００３９】
回転ブラシ３７は、軸部４２と、複数の清掃体４３と、を備える。軸部４２は、吸込具４の左右方向に延びる。軸部４２は、ケース２９に両端を保持される。軸部４２は、中心軸のまわりに回転可能である。複数の清掃体４３の各々は、軸部４２の側面に設けられる。複数の清掃体４３の各々は、軸部４２の中心軸と同軸の螺旋状に設けられる。複数の清掃体４３の各々は、例えば植毛である。
【００４０】
駆動モーター３８は、吸込具４の内部に設けられる。駆動モーター３８は、出力軸を有する。駆動モーター３８は、電力が供給されうるように、第２電力供給ピン３６と電気的に接続される。駆動モーター３８は、供給される電力によって出力軸を回転させうるように構成される。出力軸は、軸部４２に回転を伝達するように、図示されないベルトが巻きかけられる。
【００４１】
安全スイッチ３９は、吸込具４の下面に設けられる。安全スイッチ３９は、車輪を備える。車輪は、安全スイッチ３９の下端に設けられる。安全スイッチ３９は、上方または下方の位置に移動可能である。安全スイッチ３９は、バネを備える。バネは、弾性力により安全スイッチ３９を下方の位置に押すように設けられる。
【００４２】
モーター制御部４０は、吸込具４の内部に設けられる。モーター制御部４０は、駆動モーター３８の動作を制御する素子を搭載する。モーター制御部４０は、安全スイッチ３９が下方に移動している場合に、駆動モーター３８を停止させるように構成される。
【００４３】
放電デバイス制御部４１は、吸込具４の内部に設けられる。吸込具４および延長管３が本体２に接続されている場合に、放電デバイス制御部４１は、電気掃除機１の運転モードを表す信号を受信しうるように操作部８に接続される。放電デバイス制御部４１は、放電デバイス３１の動作を制御する素子を搭載する。放電デバイス３１の動作の制御は、放電デバイス３１が発生させる帯電粒子の電荷量の制御を含む。帯電粒子の電荷量は、例えば、発生させる帯電粒子の数と帯電粒子１つあたりの平均電荷量との積である。
【００４４】
下ケース３３は、一対の起毛布３３ａと、一対の前車輪３３ｂと、一対の後車輪３３ｃと、を備える。一対の起毛布３３ａの各々は、下ケース３３の左右の各々の端部に設けられる。一対の起毛布３３ａの各々は、下ケース３３の前端に設けられる。一対の起毛布３３ａの各々は、吸込口１０の左右の各々に設けられる。一対の前車輪３３ｂは、下ケース３３の左右の各々の端部に設けられる。一対の前車輪３３ｂの各々は、吸込口１０より後方に設けられる。一対の後車輪３３ｃの各々は、接続管１１に対して左右の各々に設けられる。一対の後車輪３３ｃの各々は、一対の前車輪３３ｂの各々より後方に設けられる。
【００４５】
図７において、紙面の右方向が吸込具４の前方向である。
【００４６】
吸込室２６は、ケース２９の内部に設けられる。
【００４７】
接続管１１は、吸込口１０より後方に設けられる。
【００４８】
負電荷供給部３０は、供給口３０ａと、吸気口３０ｂと、風路３０ｃと、を有する。供給口３０ａは、吸込室２６と通じる開口である。供給口３０ａは、吸込口１０に向けて開く。供給口３０ａは、吸込室２６の前端に設けられる。吸気口３０ｂは、吸込具４の外部の空間に向けて開く開口である。風路３０ｃは、吸気口３０ｂと供給口３０ａとを繋ぐ。
【００４９】
回転ブラシ３７は、吸込室２６に設けられる。軸部４２の中心軸は、供給口３０ａより後方に設けられる。複数の清掃体４３の各々は、軸部４２のいずれかの回転位置において、吸込口１０から下方に突出するように設けられる。複数の清掃体４３の各々は、軸部４２のいずれかの回転位置において、供給口３０ａの下方に位置するように設けられる。
【００５０】
放電デバイス３１は、風路３０ｃの吸気口３０ｂの側の端部に設けられる。放電デバイス３１は、電力が供給されうるように、第２電力供給ピン３６と電気的に接続される。
【００５１】
吸込具４は、検知部４４を備える。検知部４４は、接続管１１の内部の塵埃の量を検知しうるように、接続管１１の内部に設けられる。検知部４４は、例えばダストセンサーである。検知部４４は、検知する塵埃の量を表す信号を送信しうるように、放電デバイス制御部４１に接続される。
【００５２】
続いて、図８を用いて放電デバイス３１の構成を説明する。
図８は、実施の形態１に係る放電デバイスの斜視図である。図８において、矢印で示す方向が吸込具４の前後方向である。
【００５３】
放電デバイス３１は、支持体４５と、放電電極４６と、を備える。支持体４５は、板状の形状である。支持体４５は、負電荷供給部３０の内面に固定される。放電電極４６は、針状の形状である。放電電極４６の先端は、吸込具４の前方を向く。すなわち、放電電極４６の先端は、風路３０ｃの下流方向を向く。放電電極４６は、支持体４５に支持される。放電電極４６の中心軸は、支持体４５の肉厚方向の中心を通る。放電電極４６は、放電デバイス３１に供給される電力によって負の高電圧が印加されうるように構成される。
【００５４】
続いて、図９および図１０を用いて電気掃除機１の動作を説明する。
図９および図１０は、実施の形態１に係る吸込具の断面図である。
【００５５】
図９に示されるように、被清掃面の上の塵埃は正または負に帯電しうる。家庭において発生する塵埃の多くは、人の皮膚片、髪の毛または繊維などである。毛皮、髪の毛などの人毛、ガラス、羊毛、ナイロン、レーヨン、絹、木綿、麻、木材、人の皮膚片、およびガラス繊維などは、摩擦によって正に帯電しやすい。すなわち、家庭において発生する塵埃の多くは、正に帯電しやすい。帯電している塵埃は、静電気力によって被清掃面に付着する。帯電している塵埃が静電気力に抗して電気掃除機１の内部に気流とともに流入する場合に、当該塵埃は、接続管１１、延長管３および管部６などの内面に静電気力によって付着しうる。
【００５６】
電気掃除機１の使用時に、使用者は、ハンドル７を持って吸込具４の下面を被清掃面に向ける。安全スイッチ３９は、バネの弾性力に抗しながら被清掃面に押されて上方の位置に移動する。操作部８は、電気掃除機１を起動する使用者の操作を受け付ける。電池部１３は、第１差込端子２３、第１電力供給ピン２４、第２差込端子２５および第２電力供給ピン３６を通じて、吸込具４に電力を供給する。
【００５７】
電池部１３から供給される電力によって、負の高電圧が放電電極４６に印加される。このとき、放電電極４６の先端から空気中に向けて放電が発生する。この放電により、集中電界が発生する。当該集中電界内においては、空気分子から外殻電子が離脱する。その結果、当該空気分子は、正イオンになる。当該空気分子から離脱した電子は、別の空気分子に捕獲される。その結果、別の空気分子は、負イオンになる。負イオンは、負電荷を帯びる帯電粒子の例である。あるいは、当該離脱した電子または負イオンは、空気中に浮遊する他の分子などの粒子に捕獲される。当該粒子は、負電荷を帯びる帯電粒子の他の例である。
【００５８】
負電荷を帯びる帯電粒子は、負の高電圧が印加されている放電電極４６に反発される。負電荷を帯びる帯電粒子は、放電電極４６の軸方向に放電電極４６の先端から広がって離れるように、負電荷供給部３０の内部の自由空間に放出される。
【００５９】
負電荷供給部３０の内部は吸込室２６に通じる。吸込室２６の負圧によって、外部の空気が吸気口３０ｂから負電荷供給部３０の内部に流入する。放電デバイス３１が発生させる帯電粒子は、負電荷供給部３０の内部に流入する空気とともに供給口３０ａに移動する。供給口３０ａは、帯電粒子を吸込室２６に供給する。供給口３０ａから供給される帯電粒子は、吸気口３０ｂから流入する空気の流れとともに、吸込口１０から被清掃面に吹きかけられる。
【００６０】
安全スイッチ３９が上方の位置に移動している場合に、モーター制御部４０は、電池部１３から供給される電力によって駆動モーター３８の出力軸を回転させる。駆動モーター３８の出力軸は、巻きかけられるベルトによって軸部４２に回転を伝達する。軸部４２は、前部が上方から下方に向かうように回転する。清掃体４３は、軸部４２に追従して回転する。すなわち、駆動モーター３８は、回転ブラシ３７を回転駆動する。清掃体４３は、被清掃面に接触する。
【００６１】
供給口３０ａから供給される帯電粒子の一部は、清掃体４３に吹きかけられる。清掃体４３は、帯電粒子が帯びる負の電荷を、接触により被清掃面に供給する。
【００６２】
使用者は、吸込具４を前方に進める。
【００６３】
図１０に示されるように、被清掃面の上の正に帯電している塵埃は、負の電荷を帯びる帯電粒子に電気的に中和される。電気的に中和された塵埃は、被清掃面から離れやすくなる。当該塵埃は、清掃体４３に掻き揚げられる。当該塵埃は、吸込口１０から吸込室２６に気流とともに吸引される。
【００６４】
清掃体４３には、帯電している塵埃が静電気力により付着しうる。供給口３０ａから供給される帯電粒子の一部は、清掃体４３に捕獲される。帯電粒子は、帯電している塵埃を電気的に中和する。電気的に中和された塵埃は、清掃体４３から離れやすくなる。当該塵埃は、清掃体４３から離れて接続管１１の内部に吸引される。
【００６５】
供給口３０ａから供給される帯電粒子の一部は、電気的に中和されずに接続管１１の内部に吸引される。当該帯電粒子は、接続管１１、延長管３および管部６などの内面に付着した帯電している塵埃を電気的に中和する。電気的に中和された塵埃は、接続管１１、延長管３および管部６などの内面から離れやすくなる。当該塵埃は、接続管１１、延長管３および管部６などの内壁に付着せずに集塵部１６に流入する。
【００６６】
放電デバイス制御部４１は、例えば放電電極４６に印加する負の高電圧を制御することによって、放電デバイス３１が発生させる帯電粒子の電荷量を制御する。
【００６７】
検知部４４は、接続管１１の内部の塵埃の量を検知する。検知部４４は、放電デバイス制御部４１に検知した塵埃の量を表す信号を送信する。受信した信号が表す塵埃の量が予め定められた量の閾値より多い場合に、放電デバイス制御部４１は、放電デバイス３１が発生させる帯電粒子の電荷量を大きくする。受信した信号が表す塵埃の量が予め定められた量の閾値より少ない場合に、放電デバイス制御部４１は、放電デバイス３１が発生させる帯電粒子の電荷量を小さくする。
【００６８】
操作部８は、運転モードを切り替える使用者の操作を受け付ける。操作部８は、受け付けた運転モードを表す信号を放電デバイス制御部４１に送信する。「強」の運転モードを表す信号を受信した場合に、放電デバイス制御部４１は、放電デバイス３１が発生させる帯電粒子の電荷量を大きくする。「弱」の運転モードを表す信号を受信した場合に、放電デバイス制御部４１は、放電デバイス３１が発生させる帯電粒子の電荷量を小さくする。
【００６９】
以上に説明したように、実施の形態１に係る電気掃除機１は、電動送風機１４と、集塵部１６と、吸込具４と、を備える。電動送風機１４は、外部から塵埃を吸引する気流を発生させる。集塵部１６は、塵埃を捕集する。吸込具４は、気流を吸込口から吸引する。
【００７０】
吸込具４は、ケース２９と、接続管１１と、放電デバイス３１と、負電荷供給部３０と、を備える。ケース２９は、吸込具４の外郭をなす。ケース２９は、吸込室２６を内部に有する。ケース２９は、吸込室２６に通じる吸込口１０を下面に有する。接続管１１と、吸込口１０より後方に設けられる。接続管１１は、内部の空間がケース２９の内部に通じる。放電デバイス３１は、負電荷を帯びる帯電粒子を発生させる。負電荷供給部３０は、吸込室２６の前端に供給口３０ａを有する。供給口３０ａは、吸込口１０に向けて開く。負電荷供給部３０は、帯電粒子を供給口３０ａから吸込室２６に供給する。
【００７１】
供給口３０ａから吸込室２６に供給される帯電粒子は、気流とともに被清掃面の上を通る。これにより、吸込具４は、負電荷を帯びる帯電粒子をより確実に被清掃面に届けられる。
【００７２】
供給口３０ａは、吸込口１０から集塵部１６までを通る気流の最上流に設けられる。これにより、電気掃除機１の塵埃を含む気流が通る接続管１１、延長管３および管部６などの部分全体の内面が電気的に中和される。これにより、吸込具４は、帯電している塵埃が当該内面に静電気力により付着することを防ぐ。
【００７３】
吸込具４は、負電荷を帯びる帯電粒子を選択的に被清掃面に供給できる。吸込具４は、放電電極４６に印加する高電圧などの制御によって被清掃面に供給する電荷量を制御できる。
【００７４】
また、負電荷供給部３０は、ケース２９の上面に設けられる。
【００７５】
負電荷供給部３０は、前方または側方などに張り出さない。これにより、吸込具４がコンパクトになる。
【００７６】
また、負電荷供給部３０は、風路３０ｃを有する。風路３０ｃは、外部の空間と供給口３０ａとを繋ぐ。負電荷供給部３０は、風路３０ｃに放電デバイス３１を収納する。
【００７７】
帯電粒子は、風路３０ｃを通る気流とともに被清掃面に吹きかけられる。これにより、吸込具４は、負電荷を帯びる帯電粒子をより確実に被清掃面に届けられる。
【００７８】
また、吸込具４は、回転ブラシ３７を備える。回転ブラシ３７は、吸込室２６の内部に回転可能に設けられる。回転ブラシ３７は、吸込口１０から一部が突出する。
【００７９】
回転ブラシ３７は、帯電粒子によって電気的に中和される。これにより、吸込具４は、帯電している塵埃が回転ブラシ３７に付着することを防ぐ。
【００８０】
また、回転ブラシ３７は、供給口３０ａの下方に設けられる。
【００８１】
供給口３０ａから供給される帯電粒子は、回転ブラシ３７に吹きかけられる。回転ブラシ３７は、帯電粒子が帯びる負の電荷を、接触により被清掃面に供給する。これにより、吸込具４は、負電荷を帯びる帯電粒子をより確実に被清掃面に届けられる。
【００８２】
また、吸込具４は、駆動モーター３８を備える。駆動モーター３８は、回転ブラシ３７を回転駆動する。
【００８３】
回転ブラシ３７は、駆動モーター３８によって安定に回転する。これにより、吸込具４は、負電荷を帯びる帯電粒子をより確実に被清掃面に届けられる。
【００８４】
また、吸込具４は、検知部４４と、放電デバイス制御部４１と、を備える。検知部４４は、接続管１１の内部の塵埃の量を検知する。検知部４４が検知する塵埃の量が予め定められた量より多い場合に、放電デバイス制御部４１は、放電デバイス３１が発生させる帯電粒子の電荷量を大きくする。検知部４４が検知する塵埃の量が予め定められた量より少ない場合に、放電デバイス制御部４１は、放電デバイス３１が発生させる帯電粒子の電荷量を小さくする。
【００８５】
被清掃面の上の塵埃の量が少ない場合に、吸引される塵埃の量は少なくなる。被清掃面の上の塵埃の量が多い場合に、吸引される塵埃の量は多くなる。放電デバイス制御部４１は、吸引される塵埃の量に応じて放電デバイス３１が発生させる帯電粒子の電荷量を制御する。放電デバイス制御部４１は、放電デバイス３１に不必要に帯電粒子を発生させない。これにより、放電デバイス３１で消費される電力が減る。吸込具４は、電力を効率よく使用できる。
【００８６】
また、放電デバイス制御部４１は、使用者によって切り替えられる運転モードに基づいて放電デバイス３１が発生させる帯電粒子の電荷量を制御する。
【００８７】
これにより、電気掃除機１は、使用者の使用状況に応じて放電デバイス３１を柔軟に稼動させられる。
【００８８】
また、負電荷供給部３０は、吸気口３０ｂにフィルターを備えてもよい。フィルターは、高電圧が印加される放電デバイス３１に塵埃が入ることを抑制する。
【００８９】
検知部４４は、吸込室２６に設けられてもよい。このとき、検知部４４は、ケース２９の内部の塵埃の量を検知する。検知部４４は、延長管３または本体２の内部に設けられてもよい。このとき、検知部４４は、吸引される塵埃の量を検知する。
【００９０】
運転モードは、３つ以上のモードを含んでもよい。運転モードは、連続的な数値を含んでもよい。このとき、当該数値は、放電デバイス３１が発生させる帯電粒子の電荷量に対応する。
【００９１】
続いて、図１１を用いて実施の形態１の変形例に係る放電デバイス３１を説明する。
図１１は、実施の形態１の変形例に係る放電デバイスの斜視図である。図１１において、矢印で示す方向が吸込具４の前後方向である。
【００９２】
放電デバイス３１は、支持体４５と、放電電極４６と、対向電極４７と、を備える。支持体４５は、板状の形状である。支持体４５は、負電荷供給部３０の内面に固定される。放電電極４６は、針状の形状である。放電電極４６の先端は、吸込具４の前方を向く。すなわち、放電電極４６の先端は、風路３０ｃの下流方向を向く。放電電極４６は、支持体４５に支持される。放電電極４６の中心軸は、支持体４５の肉厚方向の中心を通る。放電電極４６は、放電デバイス３１に供給される電力によって負の高電圧が印加されうるように構成される。対向電極４７は、放電電極４６の先端から前方に距離を置いた位置に設けられる。すなわち、対向電極４７は、放電電極４６より風路３０ｃの下流側に設けられる。対向電極４７は、放電電極４６の中心軸が通る穴を有する。対向電極４７は、放電デバイス３１に供給される電力によって正の高電圧が印加されうるように構成される。
【００９３】
本変形例において、放電電極４６の先端からの放電強度が高められる。負電荷を帯びる帯電粒子は、放電電極４６と対向電極４７との間の電界によって、前方に加速される。これにより、放電デバイス３１は、帯電粒子を吸込具４の前方に効率良く放出することができる。
【００９４】
続いて、図１２を用いて実施の形態１の他の変形例に係る放電デバイス３１を説明する。
図１２は、実施の形態１の変形例に係る放電デバイスの斜視図である。図１２において、矢印で示す方向が吸込具４の前後方向である。
【００９５】
放電デバイス３１は、支持体４５と、放電電極４６と、対向電極４７と、を備える。支持体４５は、板状の形状である。支持体４５は、切欠きを有する。支持体４５は、負電荷供給部３０の内面に固定される。放電電極４６は、針状の形状である。放電電極４６の先端は、吸込具４の前方を向く。すなわち、放電電極４６の先端は、風路３０ｃの下流方向を向く。放電電極４６は、支持体４５に支持される。放電電極４６は、支持体４５の切欠きに設けられる。放電電極４６の中心軸は、支持体４５の肉厚方向の中心を通る。放電電極４６は、放電デバイス３１に供給される電力によって負の高電圧が印加されうるように構成される。対向電極４７は、放電電極４６の先端より前方に設けられる。すなわち、対向電極４７は、放電電極４６より風路３０ｃの下流側に設けられる。対向電極４７は、支持体４５の前端に設けられる。対向電極４７は、支持体４５の切欠きの左右に設けられる。対向電極４７は、放電デバイス３１に供給される電力によって正の高電圧が印加されうるように構成される。
【００９６】
本変形例において、放電電極４６の先端からの放電強度が高められる。負電荷を帯びる帯電粒子は、放電電極４６と対向電極４７との間の電界によって、前方に加速される。対向電極４７は、放電電極４６の先端から前方に向かう帯電粒子の移動を妨げない。これにより、放電デバイス３１は、帯電粒子を吸込具４の前方に効率良く放出することができる。
【００９７】
実施の形態２．
本実施の形態では、実施の形態１で開示された例と相違する点について詳しく説明する。本実施の形態で説明しない特徴については、実施の形態１で開示された例のいずれの特徴が採用されてもよい。
【００９８】
図１３を用いて、吸込具４の構成を説明する。
図１３は、実施の形態２に係る吸込具の断面図である。
【００９９】
上ケース３２は、平坦面３２ａと、傾斜面３２ｂと、を有する。平坦面３２ａの法線方向は、上方を向く。傾斜面３２ｂは、平坦面３２ａから前方かつ下方に延びる。傾斜面３２ｂは、上前方に向かって湾曲する。
【０１００】
負電荷供給部３０は、上下方向を軸とする角筒状の形状である。負電荷供給部３０は、傾斜面３２ｂに設けられる。負電荷供給部３０は、傾斜面３２ｂから上方に向かって突出する。平面Ｐは、平坦面３２ａを含む。負電荷供給部３０は、平面Ｐから上方に突出しない。負電荷供給部３０は、吸込具４の左右方向の中央に設けられる。吸気口３０ｂは、負電荷供給部３０の後部に設けられる。
【０１０１】
放電デバイス３１は、風路３０ｃに設けられる。放電電極４６の先端は、吸込具４の下方を向く。すなわち、放電電極４６の先端は、風路３０ｃの下流方向を向く。
【０１０２】
以上に説明したように、実施の形態２に係る吸込具４のケース２９は、平坦面３２ａと傾斜面３２ｂとを上面に有する。平坦面３２ａは、法線方向が上方を向く。傾斜面３２ｂは、平坦面３２ａから前方かつ下方に延びる。負電荷供給部３０は、傾斜面３２ｂに設けられる。負電荷供給部３０は、平坦面３２ａを含む平面Ｐから上方に突出しない。
【０１０３】
負電荷供給部３０は、平坦面３２ａの高さを超えない。これにより、吸込具４の高さが低くなる。よって、吸込具４は、狭い隙間に入りやすくなる。したがって、電気掃除機１が使いやすくなる。
【０１０４】
なお、吸気口３０ｂは、負電荷供給部３０の側面または上面の少なくともいずれかに設けられてもよい。
【符号の説明】
【０１０５】
１  電気掃除機、  ２  本体、  ３  延長管、  ４  吸込具、  ５  外郭ケース、  ６  管部、  ７  ハンドル、  ８  操作部、  ９  第１着脱ボタン、  １０  吸込口、  １１  接続管、  １２  第２着脱ボタン、  １３  電池部、  １４  電動送風機、  １５  本体制御基板、  １６  集塵部、  １７  塵埃分離装置、  １８  集塵容器、  １９  フィルター部、  ２０  吸引風路、  ２１  排気風路、  ２２  吸引口、  ２３  第１差込端子、  ２４  第１電力供給ピン、  ２５  第２差込端子、  ２６  吸込室、  ２７  充電端子、  ２８  集塵部着脱ボタン、  ２９  ケース、  ３０  負電荷供給部、  ３０ａ  供給口、  ３０ｂ  吸気口、  ３０ｃ  風路、  ３１  放電デバイス、  ３２  上ケース、  ３２ａ  平坦面、  ３２ｂ  傾斜面、  ３３  下ケース、  ３３ａ  起毛布、  ３３ｂ  前車輪、  ３３ｃ  後車輪、  ３４  エルボー、  ３５  嵌合部、  ３６  第２電力供給ピン、  ３７  回転ブラシ、  ３８  駆動モーター、  ３９  安全スイッチ、  ４０  モーター制御部、  ４１  放電デバイス制御部、  ４２  軸部、  ４３  清掃体、  ４４  検知部、  ４５  支持体、  ４６  放電電極、  ４７  対向電極
【図１】
2019166258.tif 000003
【図２】
2019166258.tif 000004
【図３】
2019166258.tif 000005
【図４】
2019166258.tif 000006
【図５】
2019166258.tif 000007
【図６】
2019166258.tif 000008
【図７】
2019166258.tif 000009
【図８】
2019166258.tif 000010
【図９】
2019166258.tif 000011
【図１０】
2019166258.tif 000012
【図１１】
2019166258.tif 000013
【図１２】
2019166258.tif 000014
【図１３】
2019166258.tif 000015